(57)【特許請求の範囲】
【請求項１】
天板下面両側に略直角に屈曲したアングル部材の一対を一方または両方を左右位置調節可能にして取付け、一方の側または両方の側には把手を取付け、更に一方のアングル部材の側面には先端に挟持板を取付けたボルト杆を螺着し、該挟持板と他方のアングル部材とによって浴槽上縁部を挟持することによって浴槽上縁部に取付けられることを特徴とする浴槽手すり。
【請求項２】
該天板上側には更に上板が外側に跳ね上げ可能に取付けられ、該把手は該上板内端部から立設されている請求項１に記載の浴槽手すり。
【請求項３】
該他方のアングル部材の内側には固定挟持板が固定されている請求項１および請求項２に記載の浴槽手すり。
【発明の詳細な説明】
【０００１】
【発明の属する技術分野】
本発明は浴槽手すりに関するものである。
【０００２】
【従来の技術】
従来、図１３に示すように、略直角に屈曲した一対のアングル部材(4A,5A) を互いに重ね合わせて左右位置調節可能に取付けた浴槽手すり(1A)であって、一方のアングル部材(4A)には先端に挟持板(14A) が取付けられたボルト杆(13A) が螺着されたハンドル(12A) が取付けられ、かつ、該一方のアングル部材(4A)の外側面には補助把手(25)が取付けられており、他方のアングル部材(5A)の外側面からは把手(26)が立設されている浴槽手すり(1A)が提供されている（特開２０００−１８９３３９）。
【０００３】
【発明が解決しようとする課題】
しかしながら上記従来の浴槽手すり(1A)では、一対のアングル部材(4A,5A) を互いに重ね合わせて左右位置調節可能に取付けられているため、一方のアングル部材(4A)と他方のアングル部材(5A)とによって段差が生じることとなる。そのため、浴槽手すり(1A)を浴槽に取付けたときに、段差部分と浴槽との間に隙間ができて、ガタツキが生じることにより、取付けの安定性が損なわれるという問題があった。
【０００４】
【課題を解決するための手段】
本発明は上記従来の課題を解決するための手段として、天板(3) 下面両側に略直角に屈曲したアングル部材(4,5) の一対を一方または両方を左右位置調節可能にして取付け、一方の側または両方の側には把手(10,16) を取付け、更に一方のアングル部材(4) の側面には先端に挟持板(14)を取付けたボルト杆(13)を螺着し、該挟持板(14)と他方のアングル部材(5) とによって浴槽上縁部を挟持することによって浴槽上縁部に取付けられる浴槽手すり(1) を提供するものである。
該天板(3) 上側には更に上板(6) が外側に跳ね上げ可能に取付けられ、該把手(16)は該上板(6) 内端部から立設されていることが望ましい。
更に、該他方のアングル部材(5) の内側には固定挟持板(18)が固定されていることが望ましい。
【０００５】
【作用】
本発明の浴槽手すり(1) では、天板(3) 下面に両方のアングル部材(4,5) を取付けているので、一方のアングル部材(4) と他方のアングル部材(5) とによる段差が生じることがなく、浴槽手すり(1) を浴槽に隙間なく取付けることが出来るので、取付けの安定性が非常に高い。
【０００６】
【発明の実施の形態】
〔実施例１〕
本発明を図１〜図６に示す一実施例によって説明する。本実施例では、図１〜図４に示すように、浴槽手すり(1) は、所定個所に位置調節長穴(2) を有する天板(3) と、略中央から略直角に屈曲した一対のアングル部材(4,5) と、該天板(3) 上側において外側に跳ね上げ可能に取付けられる上板(6) とからなり、天板(3) の所定個所にはネジ穴(7) がそれぞれ設けられ、天板(3) の位置調節長穴(2) は、浴槽手すり(1) の左右調節方向の長穴として設けられているネジ摺動部(81)と、該ネジ摺動部(81)の両端においてネジ摺動部(81)に対して直角な方向に連なる穴として同じ方向にそれぞれ設けられるネジ係止部(82)  とからなり、両方のアングル部材(4,5) の所定個所には、該天板(3) の位置調節長穴(2) 内において摺動または係止される位置調節ネジ(9) が螺着されている。
【０００７】
図５に示すように、一方のアングル部材(4) の外側面にはＵ字状の把手(10)が立設され、かつ、該一方のアングル部材(4) の外側面の中央にはネジスリーブ(11)を介してハンドル(12)が回動自在に取付けられており、該ハンドル(12)にはボルト杆(13)が螺着され、該ボルト杆(13)には挟持板(14)が取付けられている。更に、該一方のアングル部材(4) の上面にはヒンジ部(15)を介して上板(6) が跳ね上げ可能に取付けられている。該上板(6) の上面内端部からはＵ字状の把手(16)が立設されており、該上板(6) の中央には該天板(3) のネジ穴(7) に螺着される固定ボルト杆(17)が取付けられている。
また、他方のアングル部材(5) の内側面には固定挟持板(18)がネジによって固定されている。そして、両方のアングル部材の下面、挟持板(14)および固定挟持板(18)の内面には、クッション性を有するゴム板(19)がそれぞれ取付けられている。
【０００８】
更に、一方のアングル部材(4) の把手(10)と上板(6) の把手(16)には、使用者が握ったときに滑るのを防止するために保護カバー(20)が巻着されており、該保護カバー(20)の材料は、例えばＳＥＢＳ（スチレン−エチレン−ブチレン−スチレンブロック共重合体）やＳＥＰＳ（スチレン−エチレン−プロピレン−スチレンブロック共重合体）等のエラストマーである。また本実施例では、該保護カバー(20)の色は、白内障の者でも容易に見分けることが出来るように、例えば赤色等の長波長の色を使用する。
【０００９】
アングル部材(4,5) の左右位置が固定されている場合には、図６（イ）に示すように、アングル部材(4,5) の位置調節ネジ(9) は、天板(3) の位置調節長穴(2) の一端のネジ係止部(82)に係止された状態で、それぞれアングル部材(4,5) に螺着されている（図２参照）。
アングル部材(4,5) の左右位置を調節する場合、図６（ロ）に示すように、一方または両方のアングル部材(4,5) の位置調節ネジ(9) をゆるめて、天板(3) を前後方向に移動させて位置調節ネジ(9) をネジ係止部(82)  からネジ摺動部(81)へ位置させ、該位置調節ネジ(9) を位置調節長穴(2) のネジ摺動部(81)内を摺動させながらアングル部材(4,5) を左右方向に移動させて、再度天板(3) を前と逆方向へ移動させて位置調節ネジ(9) をネジ摺動部(81)から位置調節長穴(2) の他端のネジ係止部(82)に係止させて、位置調節ネジ(9) を一方または両方のアングル部材(4,5) に螺着する。このようにすれば、位置調節ネジ(9) を取外すことなく、アングル部材(4,5) の左右位置を容易に調節することが出来る（図３参照）。
【００１０】
挟持板(14)の位置を調節する場合、一方のアングル部材(4) のハンドル(12)を回転させると、ハンドル(12)の回転に伴ってネジスリーブ(11)も回転する。この際、ネジスリーブ(11)の回転に伴ってボルト杆(13)も回転しようとするが、ボルト杆(13)の先端に固定的に取付けられている挟持板(14)の上縁が一方のアングル部材(4) に当接するため、ボルト杆(13)および挟持板(14)は回転することが出来ない。そのため、ネジスリーブ(11)はボルト杆(13)に対して回転することになり、ボルト杆(13)はネジスリーブ(11)内を摺動する。このようにして、ハンドル(12)を回転させることにより、挟持板(14)の位置を容易に調節することが出来る。
【００１１】
浴槽手すり(1) を浴槽上縁部に取付ける場合には、浴槽手すり(1) の他方のアングル部材(5) が浴槽外側になるように（一方のアングル部材(4) が浴槽内側になるように）浴槽手すり(1) を浴槽上縁部に載置し、上記のようにアングル部材(4,5) の位置を調節した後、ハンドル(12)を回転させて挟持板(14)の位置を調節して、該一方のアングル部材(4) の挟持板(14)と他方のアングル部材(5) の固定挟持板(18)とによって浴槽上縁部を挟持する。
この場合、両方のアングル部材(4,5) 、挟持板(14)および固定挟持板(18)にはクッション性を有するゴム板(19)がそれぞれ取付けられているので、浴槽手すり(1) を取付ける際に浴槽が傷つくのを防止し、かつ、浴槽手すり(1) がずれて不安定になるのを防止する。
【００１２】
また、天板(3) 下面に両方のアングル部材(4,5) を取付けているので、一方のアングル部材(4) と他方のアングル部材(5) とによる段差が生じることがない。そのため、浴槽手すり(1) を浴槽に隙間なく取付けることが出来るので、取付けの安定性が非常に高い。
【００１３】
更に、把手(16)が立設されている上板(6) は、一方のアングル部材(4) にヒンジ部(15)を介して跳ね上げ可能に取付けられているので、該上板(6) を跳ね上げ状態にすれば、浴槽に蓋をするときに浴槽手すり(1) が干渉することがなくなり、浴槽手すり(1) を取り外す必要がない。更に、該上板(6) には、天板(3) のネジ穴(7) に螺着される固定ボルト杆(17)が取付けられているので、該固定ボルト杆(17)を回転させて、該上板(6) の跳ね上げを固定・解除することが出来る。
【００１４】
また更に、一方のアングル部材(4) と上板(6) にそれぞれ把手(10,16) を設けているので、足を高く上げて浴槽をまたぐことが難しいような者でも、前かがみの姿勢になって、一方のアングル部材(4) の把手(10)と上板(6) の把手(16)を両手でそれぞれ握り、そのままの姿勢で浴槽をまたぐと、足を高く上げることなく浴槽に入ることができる。
【００１５】
〔実施例２〕
図７には他の実施例が示される。本実施例では、図７に示すような浴槽内に補助把手(21)を設けるための浴槽手すり(1) の場合を例示する。図１〜図６に示した実施例１では、一方のアングル部材(4) および上板(6) にＵ字状の把手(10,16) がそれぞれ立設されていたのに対して、本実施例では、他方のアングル部材(5) の外側面に湾曲する補助把手(21)が取付けられており、該補助把手(21)は半円弧形状とされている。
また、実施例１では、天板(3) の位置調節長穴(2) のネジ摺動部(81)の両端にネジ係止部(82)が設けられていたのに対し、本実施例では、天板(3) の位置調節長穴(2) のネジ摺動部(81)の両端および中間にネジ係止部(82)が設けられている。
【００１６】
図７に示すように、該補助把手(21)はネジ(22)によって他方のアングル部材(5) に螺着されており、該補助把手(21)には、実施例１の把手(10,16) と同様、使用者が握ったときに滑るのを防止するために保護カバー(20)が巻着されている。
【００１７】
〔実施例３〕
図８には更に他の実施例が示される。本実施例では、図８に示すような浴槽内に補助把手(23)を設けるための浴槽手すり(1) の場合を例示する。図７に示した実施例２では、他方のアングル部材(5) に半円弧形状の補助把手(21)が取付けられていたのに対して、本実施例では、他方のアングル部材(5) にＣ字形状の補助把手(23)が取付けられている。
【００１８】
図８に示すように、該補助把手(23)はネジ(22)によって他方のアングル部材(5) に螺着されており、該補助把手(23)には、実施例１の把手(10,16) と同様、使用者が握ったときに滑るのを防止するために保護カバー(20)が巻着されている。
【００１９】
〔実施例４〕
図９および図１０にはまた更に他の実施例が示される。図１〜図６に示した実施例１では、一方のアングル部材(4) および上板(6) にＵ字状の把手(10,16) がそれぞれ立設されていたのに対して、本実施例では、他方のアングル部材(5) に屈曲Ｕ字形の把手(24)が立設されている。そして、該把手(24)には、実施例１の把手(10,16) と同様、使用者が握ったときに滑るのを防止するために保護カバー(20)が巻着されている。
【００２０】
また、実施例１では、天板(3) の位置調節長穴(2) のネジ摺動部(81)の両端においてネジ摺動部(81)に対して直角な方向に連なる穴として同じ方向にネジ係止部(82)がそれぞれ設けられていたのに対し、本実施例では、天板(3) の位置調節長穴(2) のネジ摺動部(81)上の両端および中間にネジ係止部(82)が設けられている。
更に、本実施例では、位置調節ネジ(9) のネジ部(91)の上端部には係止円柱部(92)が設けられており、位置調節長穴(2) のネジ摺動部(81)は、該位置調節ネジ(9) のネジ部(91)の外径より大きく設定され、かつ、該位置調節ネジ(9) の係止円柱部(92)の外径より小さく設定されており、位置調節長穴(2) のネジ係止部(82)は、該位置調節ネジ(9) の係止円柱部(92)に適嵌するように設定されている。
【００２１】
そして、アングル部材(4,5) の左右位置が固定されている場合には、図１０（イ）に示すように、位置調節ネジ(9) は、天板(3) の位置調節長穴(2) 上の一端のネジ係止部(82)に係止された状態で、それぞれアングル部材(4,5) に螺着されている。
アングル部材(4,5) の左右位置を調節する場合、図１０（ロ）に示すように、一方または両方のアングル部材(4,5) の位置調節ネジ(9) をゆるめて、位置調節ネジ(9) の係止円柱部(92)を位置調節長穴(2) のネジ係止部(82)から取外し、該位置調節ネジ(9) のネジ部(91)を天板(3) の位置調節長穴(2) のネジ摺動部(81)内を摺動させながらアングル部材(4,5) を左右方向に移動させて、位置調節長穴(2) 上の他のネジ係止部(82)の位置で位置調節ネジ(9) を一方または両方のアングル部材(4,5) に螺着して、位置調節ネジ(9) の係止円柱部(92)を位置調節長穴(2) 上の他のネジ係止部(82)に適嵌させる。このようにすれば、位置調節ネジ(9) を取外すことなく、アングル部材(4,5) の左右位置を容易に調節することが出来る。
【００２２】
〔実施例５〕
図１１および図１２にはまた更に他の実施例が示される。図１〜図６に示した実施例１では、天板(3) の所定個所にネジ穴(7) がそれぞれ設けられ、上板(6) の中央には該天板(3) のネジ穴(7) に螺着される固定ボルト杆(17)が取付けられていたのに対し、本実施例では、天板(3) の上面に断面略コの字状の上板固定部(27)が設けられ、該上板固定部(27)の所定個所には略楕円形状の係止孔(28)がそれぞれ設けられており、上板(6) の中央には上板固定杆(29)が回動自在に取付けられ、該上板固定杆(29)の先端には該天板(3) の上板固定部(27)の係止孔(28)に挿通される略楕円形状の係止片(30)が設けられている。
【００２３】
上板(6) の上板固定杆(29)先端の係止片(30)を天板(3) の上板固定部(27)の係止孔(28)に挿通させた状態で、該上板固定杆(29)を９０度回転させると、図１２に示すように、上板固定杆(29)の係止片(30)が天板(3) の上板固定部(27)に係止され、上板(6) の跳ね上げを固定することが出来る。
そして、上板固定杆(29)の係止片(30)が天板(3) の上板固定部(27)に係止された状態で、該上板固定杆(29)を更に９０度回転させると、上板固定杆(29)の係止片(30)が上板固定部(27)の係止孔(28)を挿通可能となり、上板(6) の跳ね上げを解除することが出来る。
【００２４】
上記実施例以外、天板(3) の位置調節長穴(2) には四個以上のネジ係止部(82)が設けられていてもよい。
また、位置調節長穴(2) にはネジ係止部(82)を設けることなくネジ摺動部(81)のみの位置調節長穴(2) としてもよい。この場合には、位置調節長穴(2) のネジ摺動部(81)内の任意の位置で、位置調節ネジ(9) を螺着することが出来るので、アングル部材(4,5) の無段階左右位置調節が可能となる。
【００２５】
【発明の効果】
本発明では、一方のアングル部材と他方のアングル部材とによる段差が生じることがないため、浴槽手すりを浴槽に隙間なく取付けることが出来、取付けの安定性を非常に高くすることが可能となる。
【図面の簡単な説明】
図１〜図６は本発明の一実施例を示すものである。
【図１】斜視図である。
【図２】説明斜視図である。
【図３】説明斜視図である。
【図４】分解斜視図である。
【図５】側断面図である。
【図６】説明側断面図である。
【図７】実施例２の斜視図である。
【図８】実施例３の斜視図である。
【図９】実施例４の斜視図である。
【図１０】実施例４の説明側断面図である。
【図１１】実施例５の説明斜視図である。
【図１２】実施例５の説明側断面図である。
【図１３】従来例の側面図である。
【符号の説明】
1           浴槽手すり
2           位置調節長穴
3           天板
4           一方のアングル部材
5           他方のアングル部材
6           上板
81          ネジ摺動部
82          ネジ係止部
9           位置調節ネジ
10          把手
13          ボルト杆
14          挟持板
16          把手
18          固定挟持板
【図１】
0004076752.tif 000002
【図２】
0004076752.tif 000003
【図３】
0004076752.tif 000004
【図４】
0004076752.tif 000005
【図５】
0004076752.tif 000006
【図６】
0004076752.tif 000007
【図７】
0004076752.tif 000008
【図８】
0004076752.tif 000009
【図９】
0004076752.tif 000010
【図１０】
0004076752.tif 000011
【図１１】
0004076752.tif 000012
【図１２】
0004076752.tif 000013
【図１３】
0004076752.tif 000014